(57)【要約】【課題】    少ない光源でも十分な光量で均一な発光を実現できる車両用ＬＥＤ発光エンブレムを提供する。【解決手段】  エンブレムカバー１１０と、このエンブレムカバー１１０と略同じ大きさに形成されてエンブレムカバー１１０の裏面側に配置される導光板１２０と、この導光板の厚み方向面に対して光を入射する発光ユニット１３０と、を備えた車両用ＬＥＤ発光エンブレム１００であって、導光板１２０を、自身の一部が切り欠かれて形成されたＬＥＤ光源配置部１２２を備え、且つ、外周がＬＥＤ光源配置部１２２を除いて曲線となるように構成し、ＬＥＤ光源配置部１２２を、正面視した際に、エンブレムカバー１１０で隠れる位置且つ導光板１２０の外周近傍に設け、発光ユニット１３０を、その照射中心が導光板１２０の外周面に向かうように配置する。【選択図】図１
2013119353.tif 000002
【特許請求の範囲】
【請求項１】
エンブレムカバーと、当該エンブレムカバーと略同じ大きさに形成されて前記エンブレムカバーの裏面側に配置される導光板と、当該導光板の厚み方向面に対して光を入射するＬＥＤ光源と、を備えた車両用ＬＥＤ発光エンブレムであって、
前記導光板は、自身の一部が切り欠かれて若しくはくり貫かれて形成された入光面として機能するＬＥＤ光源配置部を備え、且つ、
前記導光板は、外周が前記ＬＥＤ光源配置部を除いて曲線となるように構成され、
前記ＬＥＤ光源配置部は、正面視した際に、前記エンブレムカバーで隠れる位置且つ前記導光板の外周近傍に設けられ、
前記ＬＥＤ光源配置部に配置されるＬＥＤ光源は、その照射中心が前記導光板の外周面に向かうように配置されている
ことを特徴とする車両用ＬＥＤ発光エンブレム。
【請求項２】
請求項１において、
前記ＬＥＤ光源配置部の入光面は、当該入光面と前記導光板の外周との交点に接する仮想接線に対して９０°以下となるように形成される
ことを特徴とする車両用ＬＥＤ発光エンブレム。
【請求項３】
請求項１または２において、
前記ＬＥＤ光源配置部には、照射方向が真逆となるように２つの前記ＬＥＤ光源が配置されている
ことを特徴とする車両用ＬＥＤ発光エンブレム。
【請求項４】
請求項１〜３のいずれかにおいて、
前記導光板の外周面が、断面視、半球形に形成されている
ことを特徴とする車両用ＬＥＤ発光エンブレム。
【請求項５】
請求項１〜４のいずれかにおいて、
前記エンブレムカバーには厚み方向にくり貫かれたくり抜き部が形成され、
前記導光板は、当該くり抜き部を全てカバーする形状とされている
ことを特徴とする車両用ＬＥＤ発光エンブレム。
【発明の詳細な説明】
【技術分野】
【０００１】
本発明は、導光板を用いた照明装置の技術分野に関し、特に車両に備わるエンブレムを導光板を用いて発光させた車両用ＬＥＤ発光エンブレムに関するものである。
【背景技術】
【０００２】
自動車等の車両には当該車両メーカーのロゴマークや車両のグレード等を示すエンブレムが装着されている。
【０００３】
近年、意匠性の向上を図る等のため、図６に記載の構造を備えたエンブレム１が多数存在する。このエンブレム１は、表面にクロームメッキ等の表面処理が施され、車両メーカー等のロゴマークの形状に形作られたエンブレムカバー２と、当該エンブレムカバー２を車両側に固定するためのエンブレムベース６と、これらエンブレムカバー２及びエンブレムベース６に挟持され、表面が所望の色や模様５で彩られたデザインシート４とを有してなる。
【０００４】
また、エンブレムカバー２にはメーカーのロゴマーク等の形状に対応して裏面側に貫通するくり抜き部３が形成されているので、これらを組み付けるとデザインシート４の表面の色や模様５を当該くり抜き部３を介して視覚的に捉えることができるようになっている。
【０００５】
一方、こういったエンブレムを加工して、エンブレム内部に光源を配置し、エンブレムを発光させる技術も存在する。例えば、図７に示しているように、自動車等の車両ボデーＸに予め備わっているエンブレム８を一旦取り外し、その取り外したエンブレム８と車両ボデーＸとの間に、ＬＥＤ光源１０が適宜組込まれたアクリルプレート９を挟むようにして再度車両ボデーＸ側に取り付けて発光させる。なお、アクリルプレート９に組込まれたＬＥＤ光源１０は、適当な間隔を空けて組込まれ、更に上向き（エンブレム側）に指向性が向くように取り付けられている。即ち、アクリルプレート９を一種の導光板として利用してエンブレム全体を発光させんとするものである。
【０００６】
なお、発明者は既にこういった発光エンブレムについて特許出願済みである（特許文献１、特許文献２）。この特許文献１の発光エンブレムは、ケーシングの内周面にＬＥＤ光源を水平方向に指向性が向くように配置した上で、拡散板を介在させることによって、ムラのない均一な発光を実現するものである。
【０００７】
また特許文献２の発明は、平らな導光板に対して、正面側から光を入光して拡散部で水平方向に反射、拡散させ、導光板全体に均一に光を行き渡らせようとするものである。
【先行技術文献】
【特許文献】
【０００８】
【特許文献１】特願２０１０−０９６７１８号
【特許文献２】特許４７９００９５号
【発明の概要】
【発明が解決しようとする課題】
【０００９】
図７に示した構造の発光エンブレムの場合、不可避的に発光に「ムラ」が生じるという問題がある。具体的には、光源として指向性の強いＬＥＤを使用していることから、アクリルプレート９を導光板として利用したとしてもその指向性は弱まらず、例えば、図８に示しているように、アクリルプレート９に組込まれたＬＥＤ光源１０の周辺部１１の発光が強く、それ以外の部分の発光が弱くなってしまう。即ち、発光が均一でなく、「発光ムラ」が生じるのである。
【００１０】
また、上記特許文献１のＬＥＤ発光エンブレムの場合、均一でムラのない発光を実現することができるものの、そのためには相当数のＬＥＤ光源が必要となり、コストの問題、消費電力の問題等が少なからず残っていた。また、光を反射・拡散させるための空間が必要となるため、その分の厚みが必要となり、薄型に構成し難い場合があった。
【００１１】
また、特許文献２の発明の場合、エンブレムカバーの裏面にＬＥＤ光源を収める凹部の存在が必要となるが、エンブレムの種類によってはＬＥＤ光源を収める凹部が存在しない場合もある。また、凹部は存在してもＬＥＤ光源から光拡散部までの距離が殆ど確保できないような場合は、エンブレム全体としてムラの無い均一な発光が実現できない場合もあった。
【００１２】
そこで本発明は、エンブレムカバーの裏に凹部が無いような場合においても適用でき、且つ、導光板全体によりムラなく均一に光を行き渡らせることが可能な導光板を備えた車両用ＬＥＤ発光エンブレムを提供する事をその課題としている。
【課題を解決するための手段】
【００１３】
上記課題を解決するべく、本願発明は、エンブレムカバーと、当該エンブレムカバーと略同じ大きさに形成されて前記エンブレムカバーの裏面側に配置される導光板と、当該導光板の厚み方向面に対して光を入射するＬＥＤ光源と、を備えた車両用ＬＥＤ発光エンブレムであって、前記導光板は、自身の一部が切り欠かれて若しくはくり貫かれて形成された入光面として機能するＬＥＤ光源配置部を備え、且つ、前記導光板は、外周が前記ＬＥＤ光源配置部を除いて曲線となるように構成され、前記ＬＥＤ光源配置部は、正面視した際に、前記エンブレムカバーで隠れる位置且つ前記導光板の外周近傍に設けられ、前記ＬＥＤ光源配置部に配置されるＬＥＤ光源は、その照射中心が前記導光板の外周面に向かうように配置されていることを特徴とする。
【００１４】
このような構成を採用したことによって、エンブレムカバーの裏面にＬＥＤ光源を仕込むスペース（凹部）がない場合も適用することができる。要するに、ＬＥＤ光源を導光板の外に配置するのではなく、導光板の一部を切り欠いたりくり貫いたりして（即ち導光板の内側に）形成したＬＥＤ光源配置部にＬＥＤ光源を配置するようにしている。また同時にこのＬＥＤ光源配置部に配置されるＬＥＤ光源は、（導光板の内側から）導光板の外周面（端面）に向かって光を照射するように配置される。更に導光板は外周が（ＬＥＤ光源配置部を除いて）曲線で構成されているので光がエッジ部に集中することがなく、特定の部分が他の部分に比べて強く発光することがない。その結果、外周面に向かって照射された光はこの外周面に沿って伝搬しながら導光板の中を反射・拡散し、ムラの無い均一な発光を実現することができる。
【００１５】
なおここで「自身の一部が切り欠かれて若しくはくり貫かれて」とは、文字通り、導光板を事後的に切り欠いたりくり貫いたりして成形することが含まれることは勿論であるが、導光板を例えば樹脂成形を利用して制作する場合など、予め当該切り欠きやくり抜きを設けるように型を制作し、導光板が完成すると同時に切り欠きやくり抜きが出来ているような場合も含みうる概念である。
【００１６】
また、「自身の一部が切り欠かれて若しくはくり貫かれて」とは、導光板の厚み方向全体に渡って切り欠いたりくり貫いたりすることが含まれることはもちろんであるが、導光板の厚み方向の一部にだけ（例えば厚み半分だけ）、切り欠きやくり抜きのような窪みを設け、当該窪みの深さ方向面を利用して入光するような場合も含みうる概念である。
【００１７】
また、前記ＬＥＤ光源配置部の入光面は、当該入光面と前記導光板の外周との交点に接する仮想接線に対して９０°以下となるように形成されることを特徴とする。
【００１８】
このように構成すれば、ＬＥＤ光源から照射される光の多くを導光板の外周面に向かわせることができるので、曲線で構成された外周面を利用して光を導光板全体に行き渡らせることができる。
【００１９】
また、前記ＬＥＤ光源配置部には、照射方向が真逆となるように２つの前記ＬＥＤ光源が配置されていることを特徴とする。
【００２０】
このように構成すれば、明るさの小さなＬＥＤ光源であってもエンブレム全体をよりムラなく均一に発光させることができる。またＬＥＤ光源配置部を沢山配置する必要がない。
【００２１】
また、前記導光板の外周面が、断面視、半球形に形成されていることを特徴とする。
【００２２】
このように構成すれば、外周面に反射した光が導光板の厚み方向にも複雑に変化しながら伝搬するので、導光板全体により均一な発光が可能となると共に、導光板の厚み方向面（端面）側から入射した光を平面（正面）方向により効率よく取り出すことができる。
【００２３】
また、前記エンブレムカバーには厚み方向にくり貫かれたくり抜き部が形成され、前記導光板は、当該くり抜き部を全てカバーする形状とされていることを特徴とする。
【００２４】
このように構成すれば、くり抜き部全体を均一に発光させることが可能となる。
【発明の効果】
【００２５】
本発明を適用することで、エンブレム裏面にＬＥＤ光源を仕込める凹部がない場合であっても適用でき、且つ、少量の光源でもムラなく均一に発光する車両用発光エンブレムを実現できる。
【図面の簡単な説明】
【００２６】
【図１】本発明に係る車両用ＬＥＤ発光エンブレムの正面側分解斜視図である。
【図２】車両用ＬＥＤ発光エンブレムを組付けた状態でのＡ−Ａ線に沿う断面図である。
【図３】（ａ）は図２におけるＬＥＤ光源配置部周辺の正面側拡大図、（ｂ）は同じ部分の他の実施形態を示した図である。
【図４】導光板におけるＬＥＤ光源配置部の正面側拡大図である。
【図５】（ａ）は導光板における光の流れを模式的に示した正面図、（ｂ）はＢ−Ｂ線に沿う断面図である。
【図６】公知の自動車エンブレムを正面側からみた分解斜視図である。
【図７】公知の車両用ＬＥＤ発光エンブレムの概略構成図である。
【図８】図７の車両用ＬＥＤ発光エンブレム発光時の状態図である。
【発明を実施するための形態】
【００２７】
以下、添付図面を参照しつつ、本発明の実施形態の一例である車両用発光エンブレム１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２８】
〈車両用発光エンブレムの構成〉
車両用発光エンブレム１００は、エンブレムカバー（以下単に「カバー」という）１１０、導光板１２０、発光ユニット１３０、ベースプレート１４０を有して構成されている。
【００２９】
カバー１１０は、本実施形態では車両メーカーのロゴマークにデザインされた正面視楕円形且つ立体的な形状をなし、表面がクロームメッキ処理されている。材質はＡＢＳ樹脂などのプラスティックである。またカバーは所定の厚みを有すると共に、ロゴマークの形状に対応するように複数のくり抜き部１１２を備えている。
【００３０】
ベースプレート１４０は、ＡＢＳ樹脂で一体成形された略楕円形の黒色の部材である。外周部分のみが他の部分よりもせり上がって壁部１４４を構成している。この壁部１４４の内側に後述する導光板１２０が丁度収まる程度の大きさとされる。また壁部１４４内側の底面１４６左右端には、矩形に形成された凹部１４２が備わっている。この凹部１４２は後述する発光ユニット１３０の基板１３４が丁度収まる大きさとされている。また、図示していないが、当該凹部１３４からベースプレート１４０の裏面側に向かって配線を通す貫通孔が形成されている。
【００３１】
発光ユニット１３０は、基板１３４の上に並列配置された２つのＬＥＤ光源１３２を備えている。また基板１３４からは電源に向かう配線１３６が繋がっている。２つのＬＥＤ光源１３２は互いに背中合わせに配置され、それぞれ１８０°異なる方向に発光部１３３が向くように配置され、互いに逆方向に光を放つ構成とされる。なおこのＬＥＤ光源１３２は、発光部１３３が側面に設けられた所謂横向き照射の極薄型ＬＥＤが使用される。そのうち特に指向性の強いものでなく、ある程度照射角度（照射範囲）に広がりのあるタイプ（例えば照射角度１２０°）を用いるのが望ましい。
【００３２】
導光板１２０は、本実施形態においては射出成形により一体成形された無色透明なアクリル材料よりなる。厚さ約０．８ミリメートルで正面視楕円形状に構成される。また、導光板１２０左右端は、略矩形に切り欠かれたＬＥＤ光源配置部１２２が形成されている。また、導光板１２０の表面には正面側への光の放出を調整するための印刷（例えばメジウム印刷）１２４が施されている。本実施形態においては、カバー１１０のくり抜き部１１２の大きさよりも小さな相似形状に印刷１２４が施されており、当該印刷１２４とくり抜き部１１２の隙間から正面側に向かって光が放出される構成とされている。
【００３３】
ＬＥＤ光源配置部の幅Ｗ（図３（ａ）を参照）は、丁度、発光ユニット１３０の基板１３４上に並列配置された２つのＬＥＤ光源１３２の幅（発光部１３３から発光部１３３までの幅）と略一致する大きさとされている。またＬＥＤ光源配置部１２２は、導光板１２０の外周面１２０ａから矩形に切り欠かれた形状とされていて、２つの入光面１２２ａ、１２２ｃとこれら２つの入光面１２２ａ、１２２ｃを繋ぐとともにＬＥＤ光源１３２を位置決めする位置決め面１２２ｂとから構成される。なお位置決め面１２２ｂには光が導光板１２０の内部に向かわないように遮光処理が施されている。なお、このＬＥＤ光源配置部１２２は、図３（ａ）に示すように導光板１２０の外周面の一部が凹んだ様に構成してもよいし、図３（ｂ）のように導光板１２０の内部の一部がくり貫かれた様に構成してもよい。
【００３４】
また、それぞれの入光面１２２ａ、１２２ｃは、各入光面と導光板１２０の外周１２０ａとの交点に接する仮想接線に対して９０°以下となるように形成される（図４参照）。具体的には、例えば入光面１２２ａの場合、当該入光面１２２ａと導光板１２０の外周１２０ａとの交点αに接する仮想接線ｔαに対する入光面１２２ａの角度θが９０°以下となるように形成される。即ち、交点αの接線ｔαに対する垂線ｐαよりも光の照射中心が外周面１２０ａ側を向くように構成されている。換言すると、ＬＥＤ光源１３２の照射角中心が導光板１２０の外周面１２０ａ側に向かうような角度に形成される。
【００３５】
発光ユニット１３０は、その基板１３４がベースプレート１４０の凹部１４２に収められ固定される。即ち、ベースプレート１４０の底面１４６よりも丁度ＬＥＤ光源１３２の部分だけが厚み方向に（高さ方向に）突出するように配置されている。その状態で更に、導光板１２０がベースプレート１４０内に組み込まれる。導光板１２０を組み込むと、ＬＥＤ光源配置部１２２に、底面１４６から突起したＬＥＤ光源が嵌合する。その結果。導光板１２０の入光面１２２ａ、１２２ｃに対してＬＥＤ光源１３２の発光部１３３が接触することとなる。更にカバー１１０がベースプレート１４０に対して固定される。なお当然であるが、組付けた状態で水分などが内部に侵入しないように各部は適切にシール処理されている。
【００３６】
〈発光エンブレムの作用・機能〉
通電されると、ＬＥＤ光源１３２の発光部１３３が発光する。ＬＥＤ光源１３２はそれぞれ導光板１２０のＬＥＤ光源配置部１２２における入光面１２２ａ、１２２ｃに対面しており、更に導光板１２０の外周面１２２ａは（ＬＥＤ光源配置部１２２を除いて）曲線で構成されているので、光がエッジ部に集中することなく外周面１２０ａに沿って伝搬しながら導光板１２０の中を反射・拡散する。即ち、導光板１２０全体に渡って、ムラの無い均一な発光を実現することができる（図５参照）。
【００３７】
また、ＬＥＤ光源１３２は、導光板１２０の一部を切り欠いた（若しくはくり貫いた）部位に収まっているので、カバー１１０裏面に光源を収める凹部がなくても適用することができる。加えて、ＬＥＤ光源１３２を導光板１２０の厚み方向に収めているので、エンブレム１００を薄型に構成することが可能となっている。
【００３８】
なお、導光板１４０は透明なアクリル材料で構成されているので、ＬＥＤ光源１３２の光を効率よく伝搬できる。即ち、僅か４つのＬＥＤ光源１３２の光であっても発光エンブレム全体を発光させるに足る十分量の発光を実現することができる。もちろんＬＥＤ光源１３２の数は４つに限らず仕様に応じて適宜調整可能である。
【００３９】
〈その他の構成例〉
上記では、導光板１２０を断面視すると、外周面１２０ａが平らとなっていたが（図５（ｂ）参照）、断面視半球形に形成してもよい（図５（ｃ）参照）。このように構成すれば、外周面１２０ａに反射した光が導光板１２０の厚み方向（高さ方向）にも複雑に反射しながら伝搬するので、導光板１２０全体により均一に光を伝搬することが可能となると共に、導光板の厚み方向面（端面）側から入射した光を平面（正面）方向により効率よく取り出すことができる。
【００４０】
なお上記では、図６で示したデザインシート５を使用せずに構成されているが、エンブレムカバー１１０と導光板１２０の間、若しくは、導光板１２０とベースプレート１４０の間に配置するように構成してもよい。
【００４１】
１００・・・発光エンブレム
１１０・・・エンブレムカバー
１１２・・・くり抜き部
１２０・・・導光板
１２２・・・ＬＥＤ光源配置部
１３０・・・発光ユニット
１３２・・・ＬＥＤ光源
１３３・・・発光部
１３４・・・基板
１３６・・・配線
１４０・・・ベースプレート
１４２・・・凹部
１４４・・・壁部
１４６・・・底面
【図１】
2013119353.tif 000003
【図２】
2013119353.tif 000004
【図３】
2013119353.tif 000005
【図４】
2013119353.tif 000006
【図５】
2013119353.tif 000007
【図６】
2013119353.tif 000008
【図７】
2013119353.tif 000009
【図８】
2013119353.tif 000010
【手続補正書】
【提出日】平成24年3月26日(2012.3.26)
【手続補正１】
【補正対象書類名】明細書
【補正対象項目名】００１３
【補正方法】変更
【補正の内容】
【００１３】
上記課題を解決するべく、本願発明は、エンブレムカバーと、当該エンブレムカバーと略同じ大きさに形成されて前記エンブレムカバーの裏面側に配置される導光板と、当該導光板の厚み方向面に対して光を入射するＬＥＤ光源と、を備えた車両用ＬＥＤ発光エンブレムであって、前記導光板は、自身の一部が切り欠かれて若しくはくり貫かれて形成された入光面として機能するＬＥＤ光源配置部を備え、且つ、前記導光板は、外周が前記ＬＥＤ光源配置部を除いて曲線となるように構成され、前記ＬＥＤ光源配置部は、正面視した際に、前記エンブレムカバーで隠れる位置且つ前記導光板の外周近傍に設けられ、前記ＬＥＤ光源配置部に配置されるＬＥＤ光源は、その照射中心が前記導光板の外周面に向かうように配置され、前記導光板の外周面が、断面視、当該導光板の出光面として機能する正面に対して直角に構成されていることを特徴とする。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
また、エンブレムカバーと、当該エンブレムカバーと略同じ大きさに形成されて前記エンブレムカバーの裏面側に配置される導光板と、当該導光板の厚み方向面に対して光を入射するＬＥＤ光源と、を備えた車両用ＬＥＤ発光エンブレムであって、前記導光板は、自身の一部が切り欠かれて若しくはくり貫かれて形成された入光面として機能するＬＥＤ光源配置部を備え、且つ、前記導光板は、外周が前記ＬＥＤ光源配置部を除いて曲線となるように構成され、前記ＬＥＤ光源配置部は、正面視した際に、前記エンブレムカバーで隠れる位置且つ前記導光板の外周近傍に設けられ、前記ＬＥＤ光源配置部に配置されるＬＥＤ光源は、その照射中心が前記導光板の外周面に向かうように配置され、前記導光板の外周面が、断面視、半円形に形成されていることを特徴とする。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
エンブレムカバーと、当該エンブレムカバーと略同じ大きさに形成されて前記エンブレムカバーの裏面側に配置される導光板と、当該導光板の厚み方向面に対して光を入射するＬＥＤ光源と、を備えた車両用ＬＥＤ発光エンブレムであって、
前記導光板は、自身の一部が切り欠かれて若しくはくり貫かれて形成された入光面として機能するＬＥＤ光源配置部を備え、且つ、
前記導光板は、外周が前記ＬＥＤ光源配置部を除いて曲線となるように構成され、
前記ＬＥＤ光源配置部は、正面視した際に、前記エンブレムカバーで隠れる位置且つ前記導光板の外周近傍に設けられ、
前記ＬＥＤ光源配置部に配置されるＬＥＤ光源は、その照射中心が前記導光板の外周面に向かうように配置され、
前記導光板の外周面が、断面視、当該導光板の出光面として機能する正面に対して直角に構成されている
ことを特徴とする車両用ＬＥＤ発光エンブレム。
【請求項２】
エンブレムカバーと、当該エンブレムカバーと略同じ大きさに形成されて前記エンブレムカバーの裏面側に配置される導光板と、当該導光板の厚み方向面に対して光を入射するＬＥＤ光源と、を備えた車両用ＬＥＤ発光エンブレムであって、
前記導光板は、自身の一部が切り欠かれて若しくはくり貫かれて形成された入光面として機能するＬＥＤ光源配置部を備え、且つ、
前記導光板は、外周が前記ＬＥＤ光源配置部を除いて曲線となるように構成され、
前記ＬＥＤ光源配置部は、正面視した際に、前記エンブレムカバーで隠れる位置且つ前記導光板の外周近傍に設けられ、
前記ＬＥＤ光源配置部に配置されるＬＥＤ光源は、その照射中心が前記導光板の外周面に向かうように配置され、
前記導光板の外周面が、断面視、半円形に形成されている
ことを特徴とする車両用ＬＥＤ発光エンブレム。